(57)【特許請求の範囲】
【請求項１】
立木根廻りに所定面積の土を残してその周囲所定巾を所定深さに掘り割るとともに、この掘り割りの一側に連通する搬出路を形成する掘削工程と；
立木根廻りの土塊の側面周囲を囲い部材で固める養生工程と；
立木根廻りの土塊の両側に延在させたコの字状枠体の開放側に動力切削刃を取付け、この動力切削刃で立木根廻りの土塊底面を切削しながら土塊を切り離す切削工程と；
切り離した土塊底面の下側に橇ユニットを順次挿入して橇を形成する橇部材設置工程と；
樹木と養生土塊を載せた前記橇部材を引き、所定位置へ搬送する搬出工程と；からなることを特徴とする樹木の移植移動方法
【請求項２】
動力掘削刃を取付けたコの字状枠体の先端側に橇部材の橇ユニットを順次連結し、動力掘削刃で土塊底面を切削しながら、立木根廻りの土塊底面に沿って動力掘削刃を手前に引き戻すことにより、土塊の切削工程に追従して橇部材設置工程が自動的に行われるようにしたことをさらに特徴とする請求項１記載の樹木の移植移動方法
【請求項３】
重機のアーム連結用ステイを備えた横フレームに左右一対の固定アームを結合したコの字状のベース枠体と；
このベース枠体の左右固定アームの長手方向に沿ってスライド自在に取り付けられ、駆動手段により左右固定フレームに対して伸縮する左右一対の可動アームと；
この左右可動アームの開放側先端間に架設され、駆動手段により所定ストロークで左右往復運動をする切削刃チェーンと；を具備することを特徴とする樹木根切り装置
【請求項４】
前記左右可動アームが、駆動手段により伸縮するテレスコピックアームに構成されていることを特徴とする請求項３記載の樹木根切り装置
【請求項５】
前記左右一対の可動アームが基端側を結合フレームで連結したコの字状の枠体からなり、この可動アームの結合フレームと前記ベース部材の横フレームが、駆動手段により伸縮するテレスコピックフレームであることを特徴とする請求項３又は４記載の樹木根切り装置
【発明の詳細な説明】
【００１】
【発明の属する技術分野】
本発明は、樹木の移植方法に関し、詳細には、立木を周囲の土塊とともに掘り起こし、植え替え位置に移送する方法及びこの方法に使用する樹木根切り装置に関する。
【００２】
【発明の背景技術】
樹木を移植する場合、従来は、立木と一緒に周囲の土塊を掘り起こし、根廻りの土塊を被覆・養生して植え替え位置に移送している。
動力移植装置を用いて植え替える技術としては、上下に回動する左右の対向掘削板で立木廻りの土塊を立木と共に掬い上げる方法が行われている。
【００３】
【発明が解決しようとする課題】
従来の上記移植方法は、掘り起こし作業や移送の際に立木根廻りの土塊に不規則で且つ大きな外力がかかるため、土塊に無数の地割れができたり、土が崩壊したりする。このため、空気との接触で、有害微生物の侵入、あるいは土塊中のバクテリアの分布状況が変化し、根腐れをおこして枯れてしまうという現象が多発している。
特に、大きく生成した樹木は、掘り起こす根廻りの土塊が大きくなるため、大きな地割れが生じ満足すべき移植がほとんど期待できないのが実情である。
【００４】
従って、本発明の第１の目的は、移植作業中の地割れを抑制し、大きな樹木でも枯らさずに移植することができる方法を提供することにある。
【００５】
本発明の第２の目的は、上記の方法に用いる樹木根切り装置を提供することにある。
【００６】
上記第１の目的を達成するために、立木根廻りに所定面積の土を残してその周囲所定巾を所定深さに掘り割るとともに、この掘り割りの一側に連通する搬出路を形成する掘削工程と；立木根廻りの土塊の側面を格子状、シート状又は板状の囲い部材で固める養生工程と；立木根廻りの土塊の両側に延在させたコの字状枠体の開放側に動力切削刃を取付け、この動力切削刃で立木根廻りの土塊底面を切削しながら土塊を切り離す切削工程と；切り離した土塊底面の下側に橇ユニットを順次挿入して橇を形成する橇部材設置工程と；樹木と養生土塊を載せた前記橇部材を引き、所定位置へ搬送する搬出工程と；からなることを特徴とする。
【００７】
この場合、さらに好ましくは、動力掘削刃を取付けたコの字状枠体の先端側に橇部材の橇ユニットを順次連結し、動力掘削刃で土塊底面を切削しながら、立木根廻りの土塊底面に沿って動力掘削刃を手前に引き戻すことにより、土塊の切削工程に追従して橇部材設置工程が自動的に行われるようにする。
【００８】
上記第２の目的を達成するために、本発明による樹木根切り装置は、重機のアーム連結用ステイを備えた横フレームに左右一対の固定アームを結合したコの字状のベース枠体と；このベース枠体の左右固定アームの長手方向に沿ってスライド自在に取り付けられ、駆動手段により左右固定フレームに対して伸縮する左右一対の可動アームと；この左右可動アームの開放側先端間に架設され、駆動手段により所定ストロークで左右往復運動をする切削刃チェーンとを具備している。
【００９】
好ましくは、前記左右可動アームを、駆動手段により伸縮するテレスコピックアームで構成し、可動アームの奥行き稼働範囲を調整できるようにする。
【０１０】
さらに好ましくは、前記左右一対の可動アームの基端側を結合部材で連結してコの字状の枠体に形成し、この可動アームの結合フレームと前記ベース部材の横フレームを、駆動手段により伸縮するテレスコピックフレームで構成し、これにより、可動アームの横幅稼働範囲を調整できるようにする。
【０１１】
上記の樹木の移植移動装置は、さらに、前記左右伸縮アームの先端間に、前記切削刃の後方に続いて順次着脱自在に連結される複数の橇ユニットを具備させてもよい。
【０１２】
【課題を解決するための手段】
本発明の樹木移植方法は、立木根廻りの周囲の土を掘り割り、搬出路を形成する掘削工程（第１ステップ）と、掘削により得た立木根廻りの土塊に崩壊やひび割れが起こらないようにその外側を固める養生工程（第２ステップ）と、立木根廻りの土塊の底面を切り離す切削工程（第３ステップ）と、切り離した土塊底面の下側に橇ユニットを挿入する橇部材設置工程（第４ステップ）と、立木と根廻りの土塊を載せた橇部材を所定位置に移動させる搬出工程（第５ステップ）で構成されている。
【０１３】
第１ステップとしての掘削工程は、図１のように、地面１に植えられている立木２の廻りの所定面積の土塊３を残し、その周囲の土を所定の幅と所定の深さに掘り下げて掘割り４を形成するとともに、図２のように、掘割り４の底面に通ずる搬出路５を、前記掘割り４の一側に連通するように掘削する。
この掘削作業は、通常、パワーショベルなどの重機６が使用される。
掘削作業効率、養生の面から図の実施例は掘削によって生ずる立木根廻りの土塊３を方形に形成しているが、もちろん、この形状に限定されるものではない。
【０１４】
土塊３の表面積及び掘割り４の深さは、立木２の生長度、根のはり具合により、根廻りの土塊３を切り離しても移植した樹木が育つのに充分な量の土が確保される体積とする。
【０１５】
他方、掘割り４の幅は人が中に入って作業ができる程度とし、通常は１ｍ程度が好ましい。
【０１６】
次に、第２ステップとしての養生工程は、図３に示すように、掘り割った立木廻りの土塊３にひびや地割れができないようにその側面周囲を格子状、シート状、板状その他の囲い部材７で固める。
【０１７】
次いで、第３ステップとしての切削工程は、図４に示すように、パワーショベルなどの重機６のアーム８及びリンク９に取付けた根切り装置１０を使用する。根切り装置１０のコの字状ベース枠体１１に取り付けた左右の可動アーム１２、１３を前記掘割り４を通して土塊３の両サイドに進入させるとともに、図５、図８に示すように、土塊３の先方へ進入させた左右可動アーム１２、１３の先端開放側に動力切削刃チェーン１４をセットし、さらに、図６のように、この動力切削刃１４で土塊３の底面を切削しながら左右可動アーム１２、１３を短縮するか、もしくは、根切り装置１０自体を引き戻すことによって行われる。この工程により、図７に示すように、立木根廻りの土塊３の底面が切り離される。
【０１８】
第４ステップとしての橇部材設置工程は、大地から切り離した土塊３の底面下に橇部材１５を介在させるもので、図の実施例では図５、図９に示すように、土塊３の先方に進入させた左右可動アーム１２、１３間に切削刃チェーン１４をセットする際に、切削刃チェーン１４をセットした左右可動アーム１２、１３の先端の橇取付ブラケット３１間に基板１６を介して１段目の橇ユニット１５ａを結合し、動力切削刃チェーン１４で土塊３の底面を切り離すのと同時に土塊３の底面下に橇ユニット１５ａの一部を滑り込ませる。次いで、１段目の橇ユニット１５ａに次段の橇ユニット１５ｂを連結して同じ作業を行う。
【０１９】
上記の作業を繰り返すことにより、図６のように、連結した複数段の橇ユニット１５ａ、１５ｂ……が土塊３の底面下側に挿入され、最終的には図７のように、土塊３の底面下に橇部材１５が介装される。
かくして、この方法によれば、橇部材１５の設置工程が、土塊３の底面切り離し作業、すなわち、土塊３の切削工程に追従して自動的に行われる。
【０２０】
第５ステップとしての搬出工程は、前記のようにして大地から切り離し、橇部材１５に載せた立木２とその根廻りの土塊３を、根切り装置１０に結合したまま、あるいは、図９のようにチェーンなどの別の牽引手段１７を用いて目的の場所に引き出す。
【０２１】
かくして、立木２と根廻りの土塊３は大きな衝撃や振動をうけることなく滑らかに搬出・移動される。
【０２２】
次に、本発明の樹木移植移動方法に使用する根切り装置１０の好ましい実施例を図１０〜図１５により説明する。
図の実施例の根切り装置１０は、横フレーム２０に左右一対の固定アーム２１、２２を結合したコの字状のベース枠体１１を備えており、このベース枠体１１の左右固定アーム２１、２２に左右一対の可動アーム１２、１３が各々対応してスライド自在に取付けられている。また、横フレーム２０には重機６のアーム８とリンク９を連結するためのステイ１８と油圧タンクなどの動力源１９が固定されている。
【０２３】
図１３及び図１４に示すように、左右固定アーム２１、２２と左右可動アーム１２、１３間に伸縮駆動手段としての油圧シリンダ２３がそれぞれ架設され、油圧シリンダ２３の伸縮により各々の可動アーム１２、１３が固定アーム２１、２２に沿って伸長・短縮されるようになっている。
【０２４】
前記左右可動アーム１２、１３の開口側先端間には切削刃チェーン１４が着脱可能に懸け渡され、駆動手段により所定ストロークで左右へ往復運動するようになっている。
図の実施例では、左右可動アーム１２、１３の基端を結合フレーム２４でコの字状に連結し、この結合フレーム２４の中央に両ロッド油圧シリンダ２５を固定するとともに、左右可動アーム１２、１３の開口側先端に懸け渡した前記切削刃チェーン１４を複数のスプロケット２６を介して方形に張りめぐらし、その両端を前記両ロッド油圧シリンダ２５の両端に固定するようにしてある。
かくして、両ロッド油圧シリンダ２５の左右往復移動により、切削刃チェーン１４所定ストロークで左右往復作動し、可動アーム１２、１３間に張られた切削刃チェーン１４で立木廻りの土塊３の底面を切り離すようになっている。
【０２５】
樹木の移植にあたり、立木廻りに残す土塊の大きさは、立木の大きさ、根廻りによって異なる。従って、大きさ、寸法の異なる立木廻りの土塊に共通に適用できるようにするには、立木廻りの土塊周囲にセットされる可動アーム１２、１３の長さ及び／又は横巾を調整できるようにする必要がある。
【０２６】
このために、本発明の根切り装置１０は、図１２、図１３に示すように、左右の可動アーム１２、１３の各々をテレスコピックに摺動する外筒１２ａ、１３ａと内筒１２ｂ、１３ｂで構成し、内筒１２ｂ（１３ｂ）と外筒１２ａ（１３ａ）間に駆動手段としての油圧シリンダ２７をそれぞれ架設し、油圧シリンダ２７のストロークにより、外筒１２ａ（１３ａ）に対して内筒１２ｂ（１３ｂ）が伸縮するようになっている。
【０２７】
他方、左右可動アーム１２、１３間の横巾及びコの字状ベース枠体１１の固定アーム２１、２２間の横巾を伸縮調節できるようにするために、図１２、図１４に示すように、可動アーム１２、１３の連結フレーム２４をテレスコピックに摺動する外筒２４ａと内筒２４ｂで構成し、外筒２４ａと内筒２４ｂ間に駆動手段としての油圧シリンダ２８を架設し、油圧シリンダ２８のストロークにより連結フレーム２４の横巾を調整することができるようになっている。
図の実施例では所定長さの外筒２４ａの中央に前記切削刃チェーン１４の両ロッド油圧シリンダ２５を固定するブラケットを突設するとともに、左右可動アーム１２、１３と一体の左右内筒２４ｂを前記外筒２４ａ内に嵌合してある。
【０２８】
さらに、図を省略したが、コの字状ベース枠体１１の横フレーム２０も、上記連結フレーム２４と同様に、テレスコピックに摺動する外筒２０ａと内筒２０ｂで構成し、外筒２０ａと内筒２０ｂ間に架設した油圧シリンダ２９（図１３参照）
のストロークにより横フレーム２０の巾寸法が調整されるようになっている。
【０２９】
上記の伸縮自在の可動アーム１２、１３の外筒１２ａ（１３ａ）と内筒１２ｂ（１３ｂ）、連結フレーム２４の外筒２４ａと内筒２４ｂ及び横フレーム２０の外筒２０ａと内筒２０ｂは、それぞれ、所定の伸縮位置でピン３０を貫通させて位置を固定できるようにしてある。
【０３０】
前記切削刃チェーン１４は、可動アーム１２、１３、連結フレーム２４の伸縮に応じてその長さを継手リンクなどで調整できるようになっている。
【０３１】
左右可動アーム１２、１３の先端には橇取付ブラケット３１が設けられており、この橇取付ブラケット３１間に基板１６を介して橇ユニット１５を順次連結できるようにしてある。
【０３２】
尚、図１５は上記の各種油圧シリンダ２３、２５、２７、２９の油圧回路の一例を示している。
【０３３】
本発明の根切り装置１０は、切削刃チェーン１４を外した状態で、結合フレーム及び横フレーム２０の巾を立木廻りの土塊に合わせ、土塊の左右に左右可動アーム１２、１３を進入させる。
土塊の先方まで左右可動アーム１２、１３を伸長させた後、左右可動アーム１２、１３の周囲のスプロケット２６に切削刃チェーン１４を懸け渡し、両端を両ロッド油圧シリンダ２５に固定してセットする。
【０３４】
次いで、左右可動アーム１２、１３の先端の橇取付ブラケット３１に基板１６を結合した後、この基板１６に第１段目の橇ユニット１５ａを連結する。
この状態で両ロッド油圧シリンダ２５により切削刃チェーン１４を左右往復移動させながら油圧シリンダ２３で可動アーム１２、１３を手前に引き戻すことにより土塊の底部が切り離されるとともに、土塊底面下に橇ユニット１５ａが引き込まれる。
【０３５】
第１段目の橇ユニット１５ａに次段の橇ユニット１５ｂを連結して上記作業を繰り返すことにより、土塊が底部で切り離されると同時に、土塊底面下に橇部材１５が設置される。
【０３６】
図１５は前記油圧シリンダ２３、２５、２７、２８、２９の油圧回路図である。
なお、図１０において、実線は根切り装置１０のベース部材１１及び可動アーム１２、１３を最大に拡張させた状態を示し、２点鎖線は最小に縮小した状態を示している。
【０３７】
【効果】
以上のように、本発明は立木廻りの土塊に地割れを生じさせず、地中に植えられた状態を保持して切り離し、移動することできる。従って、空気接触や細菌の侵入による樹木の根腐れが防止され、移植による樹木の枯死が飛躍的に改善される。
【０３８】
特に、大きく生成長した樹木を移植する場合でも、上記と同じ効果が得られるので、従来、移植が不可能とされていた大木も枯らさずに移植することができる。
【図面の簡単な説明】
【図１】  本発明による移植移動方法の掘削工程斜程図
【図２】  掘削工程斜視図
【図３】  養生工程斜視図
【図４】  切削工斜視程図
【図５】  切削工程斜視図
【図６】  切削・橇設置工程斜視図
【図７】  橇設置工程斜視図
【図８】  橇ユニットの組付け斜視図
【図９】  樹木搬出工程斜視図
【図１０】根切り装置の平面図
【図１１】根切り装置の側面図
【図１２】図１３のＡ−Ａ断面図
【図１３】図１２のＢ−Ｂ断面図
【図１４】図１２のＣ−Ｃ断面図
【図１５】油圧シリンダの油圧回路図
【符号の説明】
１…地面
２…樹木
３…土塊
４…掘割り
５…搬出路
６…重機
７…橇取付ブラケット
８…アーム
９…リンク
１０…根切り装置
１１…ベース枠体
１２、１３…可動アーム
１４…切削刃チェーン
１５…橇部材
１５ａ、１５ｂ…橇ユニット
１６…基板
１７…牽引手段
１８…ステイ
１９…動力源
２０…横フレーム
２１、２２…固定アーム
２３…油圧シリンダ
２４…連結フレーム
２５…両ロッド油圧シリンダ
２６…スプロケット
２７、２８、２９…油圧シリンダ
３０…ピン
３１…橇取付ブラケット
【整理番号】ＰＡＳ００１―０３４
【図１】
0003860744.tif 000002
【図２】
0003860744.tif 000003
【図３】
0003860744.tif 000004
【図４】
0003860744.tif 000005
【図５】
0003860744.tif 000006
【図６】
0003860744.tif 000007
【図７】
0003860744.tif 000008
【図８】
0003860744.tif 000009
【図９】
0003860744.tif 000010
【図１０】
0003860744.tif 000011
【図１１】
0003860744.tif 000012
【図１２】
0003860744.tif 000013
【図１３】
0003860744.tif 000014
【図１４】
0003860744.tif 000015
【図１５】
0003860744.tif 000016